(57)【要約】【課題】必要に応じて取り付けることにより、モバイル放送を受信することができる無線端末機用放送アンテナを提供すること。【解決手段】本発明にかかる無線端末機用放送アンテナは、放送受信ループが形成されたアンテナ部２１０と、アンテナ部を収納する装身具２２０と、装身具２２０を無線端末機１００の紐掛け部１１０に取り付ける連結紐２３０と、連結紐２３０と装身具２２０との連結部に備えられ、無線端末機１００のアンテナソケットに差し込まれるプラグコネクター２４０と、プラグコネクター２４０を収納するために、装身具２２０と連結紐２３０との連結部に備えられた折り畳み収納部２５１と；を備え、プラグコネクター２４０の下部が折り畳み収納部２５１にヒンジ結束されて、プラグコネクター２４０が折り畳み収納部２５１に収納される。【選択図】図１
2008199577.tif 000002
【特許請求の範囲】
【請求項１】
無線端末機による放送の受信を可能にする、無線端末機用放送アンテナであって：
放送受信ループが形成されたアンテナ部と；
前記アンテナ部を収納する装身具と；
前記装身具を前記無線端末機の紐掛け部に取り付ける連結紐と；
前記連結紐と装身具との連結部に備えられ、無線端末機のアンテナソケットに差し込まれるプラグコネクターと；
前記プラグコネクターを収納するために、前記装身具と前記連結紐との連結部に備えられた折り畳み収納部と；を備え、
前記プラグコネクターの下部が前記折り畳み収納部にヒンジ結束されて、前記プラグコネクターが前記折り畳み収納部に収納されることを特徴とする、無線端末機用放送アンテナ。
【請求項２】
無線端末機による放送の受信を可能にする、無線端末機用放送アンテナであって：
放送受信ループが形成されたアンテナ部と；
前記アンテナ部を収納する装身具と；
前記装身具を前記無線端末機の紐掛け部に取り付ける連結紐と；
前記連結紐と装身具との連結部に備えられ、無線端末機のアンテナソケットに差し込まれるプラグコネクターと；
前記プラグコネクターを収納するために、前記装身具と前記連結紐との連結部に備えられたスライディング収納部と；を備え、
前記スライディング収納部に前記プラグコネクターがスライディング収納されることを特徴とする、無線端末機用放送アンテナ。
【請求項３】
前記アンテナ部に、前記放送受信ループが配線されない非配線部を形成し、
前記非配線部に電子マネー機能をするＲＦ半導体とＲＦループアンテナを備えたことを特徴とする、請求項１または請求項２に記載の無線端末機用放送アンテナ。
【請求項４】
前記装身具と前記アンテナ部をバー型で形成し、前記装身具と前記アンテナ部のいずれか一側を弾性板材で形成したことを特徴とする、請求項１または請求項２に記載の無線端末用放送アンテナ。
【発明の詳細な説明】
【技術分野】
【０００１】
本発明は、無線端末機用放送アンテナに関するものであって、さらに詳細には、必要に応じて取り付けることにより、モバイル放送を受信することができる無線端末機用放送アンテナに関するものである。
【背景技術】
【０００２】
一般的に、携帯電話のような無線端末機は、その機能が多様化されることにより、単純に通話の目的だけでなく、データの送受信など多様な機能が付加されて使用されている。特に、近年になって、ＤＭＢ放送（Ｄｉｇｉｔａｌ  Ｍｕｌｔｉｍｅｄｉａ  Ｂｒｏａｄｃａｓｔｉｎｇ）等のモバイル放送が本格的に実施されることとなり、各無線端末機には、これを受信するための別途の放送アンテナと、該放送アンテナを連結するための別途のアンテナソケットが備えられて実施されている。
【０００３】
上記のようにモバイル放送受信機能を有する無線端末機を用いて放送を受信する場合には、アンテナソケットに放送アンテナを連結することにより、放送アンテナを通じてモバイル放送が受信され、モバイル放送を視聴することが可能となる。
【発明の開示】
【発明が解決しようとする課題】
【０００４】
しかし、上記のようにモバイル放送受信機能を有する従来の無線端末機に、モバイル放送の受信のために備えられた放送アンテナは、その形状が単純にバー型のみからなる。したがって、このような放送アンテナは、アンテナ機能以外には別の機能を有しないのでその機能が限定されるという問題があった。
【０００５】
そこで、本発明は、上記問題に鑑みてなされたものであり、本発明の目的とするところは、上述のようにモバイル放送受信機能を有する無線端末機に備えられた放送アンテナが放送受信機能に限定されることなく、当該機能以外の機能を有することが可能な、新規かつ改良された無線端末機用放送アンテナを提供することにある。
【課題を解決するための手段】
【０００６】
上記課題を解決するために、本発明のある観点によれば、無線端末機による放送の受信を可能にする、無線端末機用放送アンテナであって、放送受信ループが形成されたアンテナ部と、前記アンテナ部を収納する装身具と、前記装身具を前記無線端末機の紐掛け部に取り付ける連結紐と、前記連結紐と装身具との連結部に備えられ、無線端末機のアンテナソケットに差し込まれるプラグコネクターと、前記プラグコネクターを収納するために、前記装身具と前記連結紐との連結部に備えられた折り畳み収納部と、を備え、前記プラグコネクターの下部が前記折り畳み収納部にヒンジ結束されて、前記プラグコネクターが前記折り畳み収納部に収納される、無線端末機用放送アンテナが提供される。
【０００７】
また、上記課題を解決するために、本発明の別の観点によれば、無線端末機による放送の受信を可能にする、無線端末機用放送アンテナであって、放送受信ループが形成されたアンテナ部と、前記アンテナ部を収納する装身具と、前記装身具を前記無線端末機の紐掛け部に取り付ける連結紐と、前記連結紐と装身具との連結部に備えられ、無線端末機のアンテナソケットに差し込まれるプラグコネクターと、前記プラグコネクターを収納するために、前記装身具と前記連結紐との連結部に備えられたスライディング収納部と、を備え、前記スライディング収納部に前記プラグコネクターがスライディング収納される、無線端末機用放送アンテナが提供される。
【０００８】
前記アンテナ部に、前記放送受信ループが配線されない非配線部を形成し、前記非配線部に電子マネー機能をするＲＦ半導体とＲＦループアンテナを備えてもよい。また、前記装身具と前記アンテナ部をバー型で形成し、前記装身具と前記アンテナ部のいずれか一側を弾性板材で形成するようにしてもよい。
【０００９】
本発明によれば、装身具形状の放送アンテナを備え、放送アンテナにプラグソケットを備えることにより、通常はアンテナを装身具として用い、放送を受信する場合にのみプラグソケットをアンテナソケットに連結してＤＭＢ放送等のモバイル放送を受信することができるので、放送アンテナの機能を多様化することができる。
【発明の効果】
【００１０】
以上説明したように本発明によれば、モバイル放送受信機能を有する無線端末機に備えられた放送アンテナを、放送受信機能に限定することなく、当該機能以外の機能を有するものとすることができる。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
本発明は、ＤＭＢ放送等のモバイル放送を視聴するための、無線端末機に備えられた放送アンテナを装身具としても活用し、その機能を多様化するようにしたものである。
【００１３】
まず、本発明の実施形態にかかる無線端末機の構成について図１および図２を参照して説明する。図１に示したように、無線端末機１００は、紐掛け部１１０と、アンテナソケット１２０と、放送アンテナ２００と、プラグコネクター２４０などを備えて構成されている。放送アンテナ２００は、アンテナ部２１０と、装身具２２０と、連結紐２３０となどを備えて構成されている。アンテナ部２１０は放送受信ループを有し、装身具２２０は、アンテナ部２１０を収納している。連結紐２３０は、装身具２２０と無線端末機１００の紐掛け部１１０とを連結させる機能を有する。プラグコネクター２４０は、連結紐２３０と装身具２２０との連結部に備えられ、無線端末機１１０のアンテナソケット１２０に差し込まれる機能を有する。図２は、図１のアンテナ部２１０の放送受信ループの形状と異なる放送受信ループを有する無線端末機１１０を図示したものである。図２の無線端末機１１０においては、放送受信ループと、装身具２２０の形状が異なるのみで、他の構成および機能は図１に示した無線端末機１１０と同じであるため、説明を省略する。
【００１４】
また、本発明の他の実施形態を図３に示した。図３に示したように、プラグコネクター２４０を使用しない場合は、プラグコネクター２４０が隠れるようにしてもよい。具体的には、装身具２２０と連結紐２３０との連結部位に折り畳み収納部２５１を形成し、折り畳み収納部２５１にプラグコネクター２４０の下部がヒンジ結束され、折り畳み収納されるようにしてもよい。
【００１５】
また、本発明の他の実施形態を図４に示した。図４に示したように、プラグコネクター２４０を使用しない場合、プラグコネクター２４０が外部から視認できないようにしてもよい。具体的には、装身具２２０と連結紐２３０との連結部位にスライディング収納部２５２を形成し、スライディング収納部２５２にプラグコネクター２４０がスライディング収納されるようにしてもよい。
【００１６】
また、本発明の他の実施形態を図５に示した。図５に示したように、プラグコネクター２４０に突出部を備え、連結紐２３０で連結されて、コネクターのふた２６０によりプラグコネクター２４０を収納することができるようにしてもよい。
【００１７】
また、本発明の他の実施形態を図６に示した。図６に示したように、アンテナ部２１０に放送受信ループが配線されない非配線部を形成し、上記非配線部に電子マネー機能を有するＲＦ半導体３１０とＲＦループアンテナ３２０を備えるようにしてもよい。
【００１８】
上記装身具２２０は、図１と図２に示されたように、無線端末機クリーナーや玩具人形状に形成したり、取手のようなバー型で形成したりしてもよい。
【００１９】
一方、図７に示されたように、放送アンテナ２００を無線端末機の支持具として用いることができるようにしてもよい。具体的には、装身具２２０とアンテナ部２１０をバー型に形成し、装身具２２０とアンテナ部２１０のいずれか一側を弾性板材で形成するようにしてもよい。
【００２０】
以下、本発明の使用方法について説明する。上記図１または図２に示した無線端末機１００をモバイル放送の受信に使用する場合、プラグコネクター２４０をアンテナソケット１２０に取り付けることにより、モバイル放送を受信することができる。一方、モバイル放送を受信しない場合には、装身具として用いることができる。
【００２１】
モバイル放送を受信するために、放送アンテナ２００を連結した状態において、アンテナ部２１０と装身具２２０のいずれか一側を弾性力を持つ弾性板材で構成した場合、プラグコネクター２４０を結合すると共に無線端末機の支持具として用いることができる。
【００２２】
そして、装身具２２０にＲＦ半導体３１０とＲＦループアンテナ３２０が備えられた場合には、電子マネーとしても用いることができるので、その機能が多様化されることとなる。
【００２３】
よって、本発明は、装身具形状の放送アンテナを備え、上記放送アンテナにプラグソケットを備えることにより、アンテナを装身具として用いることができる。また、モバイル放送を受信する場合にのみ、上記プラグソケットをアンテナソケットに連結してモバイル放送を受信することができるので、その機能が多様化されるものである。
【００２４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００２５】
【図１】本発明の実施形態にかかる無線端末機を示した斜視図である。
【図２】本発明の他の実施形態にかかる無線端末機を示した斜視図である。
【図３】本発明の他の実施形態にかかる無線端末機の折り畳み収納部の拡大斜視図である。
【図４】本発明の他の実施形態にかかる無線端末機のスライディング収納部の拡大斜視図である。
【図５】本発明の他の実施形態にかかる無線端末機のコネクターのふたの拡大斜視図である。
【図６】本発明の他の実施形態にかかる無線端末機の斜視図である。
【図７】本発明の他の実施形態にかかる無線端末機の側面図である。
【符号の説明】
【００２６】
１００    無線端末機
１１０    紐掛け部
１２０    アンテナソケット
２００    放送アンテナ
２１０    アンテナ部
２２０    装身具
２１０    連結紐
２４０    プラグコネクター
２６０    コネクターのふた
３１０    ＲＦ半導体
３２０    ＲＦループアンテナ
【図１】
2008199577.tif 000003
【図２】
2008199577.tif 000004
【図３】
2008199577.tif 000005
【図４】
2008199577.tif 000006
【図５】
2008199577.tif 000007
【図６】
2008199577.tif 000008
【図７】
2008199577.tif 000009
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
無線端末機による放送の受信を可能にする、無線端末機用放送アンテナであって：
放送受信ループが形成されたアンテナ部と；
前記アンテナ部を収納する装身具と；
前記装身具を前記無線端末機の紐掛け部に取り付ける連結紐と；
前記連結紐と装身具との連結部に備えられ、無線端末機のアンテナソケットに差し込まれるプラグコネクターと；
前記プラグコネクターを収納するために、前記装身具と前記連結紐との連結部に備えられた折り畳み収納部と；を備え、
前記プラグコネクターの下部が前記折り畳み収納部にヒンジ結束されて、前記プラグコネクターが前記折り畳み収納部に収納されることを特徴とする、無線端末機用放送アンテナ。
【請求項２】
無線端末機による放送の受信を可能にする、無線端末機用放送アンテナであって：
放送受信ループが形成されたアンテナ部と；
前記アンテナ部を収納する装身具と；
前記装身具を前記無線端末機の紐掛け部に取り付ける連結紐と；
前記連結紐と装身具との連結部に備えられ、無線端末機のアンテナソケットに差し込まれるプラグコネクターと；
前記プラグコネクターを収納するために、前記装身具と前記連結紐との連結部に備えられたスライディング収納部と；を備え、
前記スライディング収納部に前記プラグコネクターがスライディング収納されることを特徴とする、無線端末機用放送アンテナ。
【請求項３】
前記アンテナ部に、前記放送受信ループが配線されない非配線部を形成し、
前記非配線部に電子マネー機能を有するＲＦ半導体とＲＦループアンテナを備えたことを特徴とする、請求項１または請求項２に記載の無線端末機用放送アンテナ。
【請求項４】
前記装身具と前記アンテナ部をバー型で形成し、前記装身具と前記アンテナ部のいずれか一側を弾性板材で形成したことを特徴とする、請求項１または請求項２に記載の無線端末用放送アンテナ。
【手続補正２】
【補正対象書類名】明細書
【補正対象項目名】０００８
【補正方法】変更
【補正の内容】
【０００８】
前記アンテナ部に、前記放送受信ループが配線されない非配線部を形成し、前記非配線部に電子マネー機能を有するＲＦ半導体とＲＦループアンテナを備えてもよい。また、前記装身具と前記アンテナ部をバー型で形成し、前記装身具と前記アンテナ部のいずれか一側を弾性板材で形成するようにしてもよい。